(57)【要約】【課題】構築費に見合う発電量を必要とする。海流によってフローが安定した位置を保てない。台風対策を必要とする。うねりの往復運動を利用する。浮上り率に見合ったフロー高を見つける。【解決手段】２０年で消却出来る構造とする。潮流吸収フェンス、フローガイド、潮流吸収プレート等で潮流の影響を最小限にとどめる。台風時には潮流吸収フェンスは撤去し、フローは上部に移動、固定する。上下移動用歯車（歯抜け）を使用して、うねりの往復運動を１方向の回転運動に変換する。〔数２〕で示したフロー高とうねり高との比Ｂ＝１／２／（０．５−Ｃ）とした時、フローが受ける浮力は最大エネルギーを得る。〔表２〕【選択図】図２
2009068486.tif 000002
【特許請求の範囲】
【請求項１】
うねりの往復エネルギーを〔図３〕〔図４〕で示す様にギアを使って吸収するシステム。
【請求項２】
発電機の軸に負担を掛けないように、うねり伝搬用ギアに潮流吸収用プレートを設置した構造。
【請求項３】
〔数２〕で示したフロー高と、うねり高との比Ｂ＝０．５／（０．５−Ｃ）の式と〔表２〕で示した数値。
【請求項４】
地球温暖化対策として〔化１〕で示す様に水を分解し、水素を発生するシステム。
【発明の詳細な説明】
【技術分野】
【０００１】本発明は、潮の干満及びうねり現象を考慮した発電システムに関するものである。
【背景技術】
【０００２】先に出願（特開２００７−１３２１８５）した案では建設費に見合う電力を得られない。
【特許文献】特開２００７−１３２１８５号広報
【発明の開示】
【発明が解決しようとする課題】
【０００３】構築費に見合う発電量を必要とする。【０００４】海流によってフローが安定した位置を保てない。【０００５】台風対策を必要とする。【０００６】うねりの往復エネルギーを利用する。
【課題を解決しようとする手段】
【０００７】〔数１〕
（条件）うねり高＝２．５ｍ，うねり１サイクル１０秒，フロー比重０．５，
浮上り率を０．１，フロー幅＝２．０ｍ，フロー長２．０ｍとする。
この時、フロー高２６＝２．５ｍ×１．２５＝３．１３ｍ  〔表２〕参照
浮力２３    ＝２．０２×３．１３×０．４＝５．００８ｔ
移動量２７  ＝３．１３／２＋２．５０＋３．１３／１０
−３．１３＝１．２５ｍ  〔図７〕参照
従ってフローがうねりから受ける位置エネルギーＥ１は
Ｅ１＝５．００８×１．２５×２（１往復）＝１２．５２ｔｍ
１サイクル１０秒とするなら１時間当り２５基では
Ｅ２＝１２．５２×６×６０×２５＝１１２，６８０ｔｍ
電気量に換算すると
Ｅ２＝９．８×１１２６８０／３６００＝３０６．７４ｋＷ／Ｈ
１軒当りの１時間当りの電気使用量は３ｋＷ／Ｈ（東京電力調べ）である。
考えられるエネルギー損失の数値を全体の１割として試算すれば１０２軒分の          電気量を賄える。
東京電力によると一般家庭の平均契約アンペア数は３４．１０Ａである。
平成１８年度の一般家庭１軒当り電気使用量は２８７．８８ｋＷ／Ｈである。
【表１】
2009068486.tif 000003
2009068486.tif 000004
平均電気使用量は２８７．８８×２１．０４＝６０５７円
合計電気料金は６９８７円／月／軒
２０年で１０２軒の電気料金を試算すると
１０２軒×１２ヶ月×６９８７円×２０年＝１７１，０４１，７６０円
２０年で償却するには建設費に約１億７千万円懸けられることになる。
更に発電所を２連にすると鋼管柱が６本で済むことより経済効率が増す。
【０００８】潮流しや断フェンスを設置し、更にフローガイドで潮流の影響を少なくする。
うねり伝播ギアの下端に潮流吸収用プレートを設置し、潮流が発電機に与える影響を減少させる。
【０００９】フローを小型化し台風時に上方へ引き上げる構造とする。
【００１０】歯抜けギアを利用し自動的に回転を変更して往復のエネルギーを吸収する。
【００１１】設定浮上り率によってフロー高さを（表２）の様に決定すると浮力が最大になる。
【００１２】〔数２〕
フロー幅２１をＡ，フロー長さをＬ，うねり高２２をＸ，フロー高２６をＢＸ（うねり  高に係数を掛ける），浮上り高２７をフロー高２６で除した比率をＣ（浮上り率）とし  た場合
フローの浮力    Ｆ＝ＡＬ（０．５−Ｃ）ＢＸ
フローの移動量  Ｈ＝ＢＸ／２＋Ｘ＋ＣＢＸ−ＢＸ＝Ｘ＋ＣＢＸ−ＢＸ／２
フローの浮力により移動した位置エネルギーＥは
Ｅ＝ＦＨ＝ＡＬ（０．５−Ｃ）ＢＸ×（Ｘ＋ＣＢＸ−ＢＸ／２）
＝ＡＬＸ２（０．５−Ｃ）Ｂ−ＡＬＸ２（０．５−Ｃ）（０．５−Ｃ）Ｂ２
上式をＢで微分すると
Ｅ’＝ＡＬＸ２（０．５−Ｃ）−２ＡＬＸ２（０．５−Ｃ）（０．５−Ｃ）Ｂ
Ｅ’＝０とするとＢ＝０．５／（０．５−Ｃ）
となる。
【表２】
2009068486.tif 000005
（〔数１〕の条件では、フロー高＝２．５０×１．２５＝３．１３）
以上の事からフロー高はうねり高と浮上り率とで決定する。
【発明の効果】
【００１３】建設費に見合う電気量が期待出来る。
【００１４】潮流による発電機への影響を少なく出来る。
【００１５】台風対策に方向性が拓ける。
【００１６】うねりエネルギーを効率良く吸収するのに効果がある。
【発明を実施するための最良の形態】
【００１７】安価で、安全なエネルギーを得る目的を実現した。
【産業上の利用可能性】
【００１８】化石燃料を必要としないクリーンなエネルギーが期待できる。【００１９】地球温暖化防止に寄与出来る。（化１）参照【００２０】水の電気分解から水素、酸素を製造し水素は新エネルギーに使用し、酸素はオゾン層修復に期待出来る。
〔化１〕
水素を酸素と化合すれば水とエネルギーを発生する。
２Ｈ２＋Ｏ２−−−＞２Ｈ２Ｏ＋ｅｎｅｒｇｙ
逆に水を分解すれば熱を吸収する。
１．塩水を電気分解する。
ＮａＣｌ−−−＞Ｎａ＋Ｃｌ
２．発生した塩素を水と化合する。
２Ｈ２Ｏ＋４Ｃｌ−−−＞４ＨＣｌ＋Ｏ２（酸素発生）
３．出来た塩酸と電気分解したナトリウムを化合する。
２ＨＣｌ＋２Ｎａ−−−＞２ＮａＣｌ＋Ｈ２（水素発生）
４．発生した水素は一部を新エネルギーに使用し、残りは地下に閉じ込める。
５．発生した酸素は空気中に放出すると上空で紫外線によりオゾンに変化する。
３Ｏ２−−−＞２Ｏ３
よってオゾン層修復に繋がる。
６．温室効果ガス（２酸化炭素）の影響もあって地表面温度は放熱されず、水の分解        による大気温度吸収で気温の低下が急速に早まる。
更に化石燃料に代わる燃料の出現で二酸化炭素排出量が激減する。
【図面の簡単な説明】
【００２１】
【図１】Ａ−Ａ断面図
【図２】Ｂ−Ｂ断面図
【図３】Ａ部拡大図
【図４】Ｃ−Ｃ断面図
【図５】Ｂ部拡大図
【図６】Ｄ−Ｄ断面図
【図７】フロー浮き上がり図
【図８】フロー浮き上がり流れ図
【符号の説明】
【００２８】  １．鋼管柱
２．潮流吸収フェンス（台風時には撤去）
３．フローガイド（十字形鋼，Ｔ字形鋼等）
４．フロー（比重０．５位、台風時には上部に移動、固定）
５．Ａ部
６．Ｂ部
７．発電機
８．床版
９．うねり伝搬用ギア
１０．発電機回転軸
１１．発電機伝搬用歯車
１２．上下移動用歯車（歯抜け）
１３．発電機伝搬用歯車固定台（上下移動用歯車１２によって上下に移動する）
１４．上下移動用歯車固定台（固定）
１５．上下に移動
１６．重し（常に上下移動用歯車１２の歯部分がうねり伝搬用ギアと接する動きをする。）
１７．引き揚げ用ワイヤー
１８．ガイド用ローラー
１９．発電機伝搬用歯車固定台移動範囲（＞うねり高＋潮の干満高）
２０．潮流吸収用プレート（鋼材、発電機軸に垂直に作用する流れを吸収）
２１．フロー幅
２２．うねり高
２３．浮力
２４．発電機負荷（摩擦力等も含む）
２５．浮き上がり高
２６．フロー高
２７．フロー移動高
２８．うねり最高ライン
２９．うねり最低ライン
３０．浮力０
３１．うねり位置
【図１】
2009068486.tif 000006
【図２】
2009068486.tif 000007
【図３】
2009068486.tif 000008
【図４】
2009068486.tif 000009
【図５】
2009068486.tif 000010
【図６】
2009068486.tif 000011
【図７】
2009068486.tif 000012
【図８】
2009068486.tif 000013